(57)【要約】【課題】出力物の形式に合ったエビデンス画像を作成する。【解決手段】画像処理装置は、画像を記憶する記憶部と、記録媒体上の画像を画像読取部で読み取った読取画像を取得し、読取画像に基づいて記録媒体上の画像に異常があるかを判定し、読取画像に基づいて読み取りにおけるエビデンス画像を記憶部に保存する制御部を有し、制御部は、画像の面付けにより記録媒体の主走査方向に複数の画像が配置されている場合、読取画像を副走査方向に沿って分割し、分割後の読取画像をエビデンス画像として保存することを可能とする。【選択図】図４
2019195122.tif 000002
【特許請求の範囲】
【請求項１】
記録媒体上の画像を画像読取部で読み取った読取画像を取得し、前記読取画像に基づいて前記記録媒体上の画像に異常があるかを判定し、前記読取画像に基づいて読み取りにおけるエビデンス画像を作成する制御部を有し、
前記制御部は、記録媒体に複数の画像が配置されている場合、前記読取画像を分割し、分割された画像をエビデンス画像として表示または／および保存する制御が可能である画像処理装置。
【請求項２】
画像を記憶する記憶部と、
画像の表示を行う表示部を有し、
前記制御部は、前記記憶部と前記表示部を制御する請求項１記載の画像処理装置。
【請求項３】
前記制御部は、画像の面付けにより記録媒体に複数の画像が配置されている場合、前記読取画像の分割を行う請求項１または２に記載の画像処理装置。
【請求項４】
前記制御部は、画像の面付けにより記録媒体の主走査方向に複数の画像が配置されている場合、前記読取画像を副走査方向に沿って分割する請求項３記載の画像処理装置。
【請求項５】
前記制御部は、前記面付けの設定に基づいて前記読取画像の分割位置を決定する請求項３または４に記載の画像処理装置。
【請求項６】
前記制御部は、ジョブのデータに含まれる分割位置に基づいて前記読取画像の分割を行う請求項３〜５のいずれか１項に記載の画像処理装置。
【請求項７】
操作入力が可能な操作部を有し、
前記制御部は、前記操作部において、前記読取画像の分割位置を設定することを可能とする請求項３〜６のいずれか１項に記載の画像処理装置。
【請求項８】
操作入力が可能な操作部を有し、
前記制御部は、前記操作部によって前記読取画像の分割位置の指定を行うか、面付けの設定に基づいて自動で分割位置を決定するかを選択可能とする請求項３〜７のいずれか１項に記載の画像処理装置。
【請求項９】
前記制御部は、分割後の画像をエビデンス画像としてそれぞれ別名で保存することが可能である請求項１〜８のいずれか１項に記載の画像処理装置。
【請求項１０】
前記制御部は、異常があると判定された画像を含むエビデンス画像と、異常なしと判定された画像を含むエビデンス画像とを区別可能に保存する請求項１〜９のいずれか１項に記載の画像処理装置。
【請求項１１】
前記制御部は、複数のジョブが副走査方向に沿って並列して配置されている場合、前記読取画像の分割を行う請求項１〜１０のいずれか１項に記載の画像処理装置。
【請求項１２】
前記記録媒体は連続記録媒体である請求項１〜１１のいずれか１項に記載の画像処理装置。
【請求項１３】
前記記録媒体は、断裁に供されるものである請求項１２に記載の画像処理装置。
【請求項１４】
記録媒体上の画像を画像読取部で読み取った読取画像を取得し、前記読取画像に基づいて前記記録媒体上の画像に異常があるかを判定し、前記読取画像に基づいて読み取りにおけるエビデンス画像を作成する制御部で実行されるプログラムであって、
前記プログラムは、記録媒体に複数の画像が配置されている場合、前記読取画像を分割し、分割された画像をエビデンス画像として表示または／および保存する制御を行うプログラム。
【発明の詳細な説明】
【技術分野】
【０００１】
本発明は、記録媒体に形成された画像を読み取った読取画像に基づいて画像に異常があるかを判定することができる画像処理装置およびプログラムに関する。
【背景技術】
【０００２】
複写機、プリンター、複合機などの画像形成装置の分野では、用紙上の画像を読み取った読取画像と、印刷用の画像やプルーフ出力物を読み取った画像などからなる元画像とを比較することにより、画像の汚れや色ずれ、位置ずれ等の異常を検出することが可能な検査システムが知られている。
【０００３】
例えば、特許文献１には、検出対象物を読み取った入力画像から、検出すべき図形を含む特定画像と一致する部分の有無を検出して画像検査を行う装置が記載されている。特許文献１では、検査対象物を読み取って得られた入力画像データから所定の寸法で画像を切り出しつつ検査を行うことで、高速で十分な検出精度を実現可能である、としている。
【０００４】
また、特許文献２には、用紙の読み取りによって取得した読取画像を保存する装置において、原稿台に置かれた原稿位置によってスキャンデータの保存先を分けることが記載されている。
【先行技術文献】
【特許文献】
【０００５】
【特許文献１】特開２００１−１７５８６７号公報
【特許文献２】特開２００８−９２４５１号公報
【発明の概要】
【発明が解決しようとする課題】
【０００６】
ところで、画像が印刷された出力物をスキャナー等で読み取り、ヤレ画像がないかを検出する出力物検品システムでは、読み取った画像をエビデンス画像として表示や保存をすることが行われている。
また、ロール状の紙に複数のジョブを面付けして印刷し、印刷後には後処理機で断裁することにより、最終的に別々の印刷物とする場合がある。このように、印刷物を分けて観察する場合は、エビデンス画像と印刷物の形状が一致しないという問題がある。
【０００７】
本発明は上記課題を背景としてなされたものであり、出力物の形式に合ったエビデンス画像を作成することが可能な画像処理装置およびプログラムを提供することを目的とする。
【課題を解決するための手段】
【０００８】
すなわち、本発明の画像処理装置のうち、第１の形態は、記録媒体上の画像を画像読取部で読み取った読取画像を取得し、前記読取画像に基づいて前記記録媒体上の画像に異常があるかを判定し、前記読取画像に基づいて読み取りにおけるエビデンス画像を作成する制御部を有し、
前記制御部は、記録媒体に複数の画像が配置されている場合、前記読取画像を分割し、分割された画像をエビデンス画像として表示または／および保存する制御が可能である。
【０００９】
他の形態の画像処理装置の発明は、前記形態の本発明において、画像を記憶する記憶部と、
画像の表示を行う表示部を有し、
前記制御部は、前記記憶部と前記表示部を制御する。
【００１０】
他の形態の画像処理装置の発明は、前記形態の本発明において、前記制御部は、画像の面付けにより記録媒体に複数の画像が配置されている場合、前記読取画像の分割を行う。
【００１１】
他の形態の画像処理装置の発明は、前記形態の本発明において、前記制御部は、画像の面付けにより記録媒体の主走査方向に複数の画像が配置されている場合、前記読取画像を副走査方向に沿って分割する。
【００１２】
他の形態の画像処理装置の発明は、前記形態の本発明において、前記制御部は、前記面付けの設定に基づいて前記読取画像の分割位置を決定する。
【００１３】
他の形態の画像処理装置の発明は、前記形態の本発明において、前記制御部は、ジョブのデータに含まれる分割位置に基づいて前記読取画像の分割を行う。
【００１４】
他の形態の画像処理装置の発明は、前記形態の本発明において、操作入力が可能な操作部を有し、
前記制御部は、前記操作部において、前記読取画像の分割位置を設定することを可能とする。
【００１５】
他の形態の画像処理装置の発明は、前記形態の本発明において、操作入力が可能な操作部を有し、
前記制御部は、前記操作部によって前記読取画像の分割位置の指定を行うか、面付けの設定に基づいて自動で分割位置を決定するかを選択可能とする。
【００１６】
他の形態の画像処理装置の発明は、前記形態の本発明において、前記制御部は、分割後の画像をエビデンス画像としてそれぞれ別名で保存することが可能である。
【００１７】
他の形態の画像処理装置の発明は、前記形態の本発明において、前記制御部は、異常があると判定された画像を含むエビデンス画像と、異常なしと判定された画像を含むエビデンス画像とを区別可能に保存する。
【００１８】
他の形態の画像処理装置の発明は、前記形態の本発明において、複数のジョブが副走査方向に沿って並列して配置されている場合、前記読取画像の分割を行う。
【００１９】
他の形態の画像処理装置の発明は、前記形態の本発明において、前記記録媒体は連続記録媒体である。
【００２０】
他の形態の画像処理装置の発明は、前記形態の本発明において、前記記録媒体は、断裁に供されるものである。
【００２１】
本発明のプログラムのうち、第１の形態は、記録媒体上の画像を画像読取部で読み取った読取画像を取得し、前記読取画像に基づいて前記記録媒体上の画像に異常があるかを判定し、前記読取画像に基づいて読み取りにおけるエビデンス画像を作成する制御部で実行されるプログラムであって、
前記プログラムは、記録媒体に複数の画像が配置されている場合、前記読取画像を分割し、分割された画像をエビデンス画像として表示または／および保存する制御を行。
【発明の効果】
【００２２】
本発明によれば、出力物の形式に合ったエビデンス画像を得ることが可能となる。
【図面の簡単な説明】
【００２３】
【図１】本発明の一実施形態における画像形成装置の機械的構成の概略を示す図である。
【図２】同じく、制御ブロック図である。
【図３】同じく、ロール紙の断裁によって得られる納品物を示す図である。
【図４】同じく、操作部で設定された面付け情報から分割位置を取得し、分割位置に基づいて読取画像を分割する動作手順を示すフローチャートである。
【図５】同じく、面付け操作における、配置画像の選択画面を示す図である。
【図６】同じく、面付け操作における画像配置画面を示す図である。
【図７】同じく、面付け操作における画像配置画面を示す図である。
【図８】同じく、面付け操作における画像配置画面を示す図である。
【図９】同じく、面付けの設定に基づいて判定された読取画像の分割位置を示す図である。
【図１０】同じく、エビデンス画像の分割動作を示す図である。
【図１１】同じく、表示するエビデンス画像の選択画面を示す図である。
【図１２】同じく、エビデンス画像の表示画面を示す図である。
【図１３】同じく、アプリケーションで設定された分割位置に従って読取画像の分割を行う際の手順を示すフローチャートである。
【図１４】同じく、ユーザーが指定した分割位置に基づいて読取画像の分割を行う手順を示すフローチャートである。
【図１５】同じく、画像Ａの分割位置指定を行う画面を示す図である。
【図１６】同じく、画像Ａの分割位置の確認画面を示す図である。
【図１７】同じく、画像Ｂの分割位置の指定を行う画面を示す図である。
【図１８】同じく、画像Ｂの分割位置の確認画面を示す図である。
【図１９】同じく、画像Ｃの分割位置の指定を行う画面を示す図である。
【図２０】同じく、画像Ｃの分割位置の確認画面を示す図である。
【発明を実施するための形態】
【００２４】
以下、本発明の画像処理装置の一実施形態である画像形成装置の例を添付図面に基づいて説明する。
本実施形態の画像形成システムは、画像形成装置１と、画像形成装置１外に設けられた後処理装置６００とを備えている。
画像形成装置１は、図１に示すように、前段側から給紙部２００、装置本体１０、および排紙部５００をこの順で備えている。各部および装置本体１０は電気的および機械的に接続されており、各部および装置本体間での通信および用紙の移動が可能となっている。用紙は、給紙部２００から排紙部５００にかけて搬送される。
後処理装置６００は、用紙の断裁を行うことが可能な装置である。画像形成装置１と後処理装置６００は画像形成装置１と電気的に接続されており、画像形成装置１から断裁位置のデータを受信することが可能となっている。
なお、後処理装置６００は、装置本体１０と排紙部５００との間に設けられていてもよい。
【００２５】
画像形成装置１は、給紙部２００から排紙部５００に亘って搬送路２２を有しており、搬送路２２には搬送ローラー２３が設けられている。
給紙部２００には、ロール紙ＲＰが収納されており、給紙部２００内のロール紙ＲＰは、搬送路２２を通じて後段に搬送される。ロール紙ＲＰは、本発明の記録媒体に相当する。なお、本発明の記録媒体は、ロール紙に限定されるものではなく、連続帳票用紙のように、長尺の用紙が折りたたまれて収納されているものであってもよい。また、記録媒体は、紙に限定されるものではなく、例えば布やプラスチック製のものであってもよい。また、本発明では、記録媒体は、連続記録媒体に限定されず、シート状の記録媒体であってもよい。
【００２６】
装置本体１０は、搬送路２２の途中に、電子写真方式で用紙に画像を形成する画像形成部１１０が設けられている。
画像形成部１１０は、各色用の感光体１１０Ａを有し、感光体１１０Ａの周囲には、図示しない帯電器、ＬＤ、現像器、クリーニング部等が備えられている。各色用の感光体１１０Ａは中間転写ベルト１１０Ｂと接触しており、中間転写ベルト１１０Ｂは、二次転写部１１０Ｃにおいて、搬送路２２上のロール紙ＲＰに接触可能となっている。さらに、搬送路２２において、二次転写部１１０Ｃの下流側に、定着部１１０Ｄが備えられている。
【００２７】
用紙に画像を形成する場合、帯電器によって感光体１１０Ａを一様に帯電した後、画像データに基づき、ＬＤによって感光体１１０Ａに潜像を描画する。そして、現像器によってトナーを付着して感光体１１０Ａ上の潜像を現像し、トナー像とする。感光体１１０Ａ上のトナー像は、各色用のトナー像が重なるように中間転写ベルト１１０Ｂに転写され、中間転写ベルト１１０Ｂ上のトナー像が二次転写部１１０Ｃにおいて用紙に転写される。用紙に転写されたトナー像は、定着部１１０Ｄにおいて熱と圧力が加えられることによって用紙に定着される。
【００２８】
画像形成部１１０よりも搬送方向後方には、用紙の読み取りを行う画像読取部２４を備えている。
画像読取部２４は、ＣＣＤセンサーやＣＭＯＳセンサー等のラインセンサによって構成することができ、用紙の幅方向全体の読み取りを行うことが可能である。画像読取部２４で取得した読取画像は制御部１００へ送信され、画像検査やエビデンス画像の作成に用いられる。なお、この形態では、画像読取部は、装置本体１０に備えられているものとして説明したが、装置本体１０の用紙搬送方向下流側に画像読取部を備えるものであってもよい。
【００２９】
装置本体１０の筐体の上部に、自動原稿給送部（ＡＤＦ）１３５を備えている。
自動原稿給送部（ＡＤＦ）１３５では、セットされた原稿を自動で給送し、スキャナー部のＣＣＤによって原稿の画像の読み取りを行う。読み取りによって取得した画像データは画像形成等に用いられる。
【００３０】
また、装置本体１０の筐体の上部に、操作表示部１４０を備えている。操作表示部１４０は、タッチパネル式のＬＣＤや操作キー群等を有しており、情報の表示および操作入力が可能となっている。操作表示部１４０では、エビデンス画像の表示、ジョブの面付け操作、および、エビデンス画像の分割位置の指定などが可能であり、表示部および操作部として機能する。操作部と表示部とはそれぞれ個別に備えるものであってもよい。
【００３１】
装置本体１０は、さらに、制御部１００を有している。制御部１００は、ＣＰＵや、ＲＯＭ、ＲＡＭ等の記憶部、ＣＰＵで動作するプログラム等によって構成され、画像形成装置１全体を制御する。ＣＰＵで動作するプログラムには、本発明のプログラムが含まれている。
また、この実施形態では、画像形成装置１が画像処理装置に相当するものとして説明したが、本発明の画像処理装置は、画像読取部が読み取った読取画像を取得して画像データの処理を行うことが可能であればよく、例えば画像読取部を備える読取装置や、画像形成装置を管理するサーバなどが本発明の画像処理装置として機能するものであってもよい。
【００３２】
装置本体１０の後段には、ロール紙を巻き取って収納する排紙部５００が接続されている。
装置本体１０から排紙されたロール紙ＲＰは排紙部５００へ搬送され、排紙部５００において巻き取られて収納される。
【００３３】
なお、本実施形態では、給紙部２００と、装置本体１０と、排紙部５００とによって画像形成装置１が構成されているが、本発明としては他の装置をさらに備えるものであってもよい。例えば、装置本体１０と排紙部５００との間にロール紙の断裁を行う断裁装置を備えていてもよい。
【００３４】
画像形成装置１外に設けられた後処理装置６００は、図示しない断裁装置を備えており、出力されたロール紙をセットして断裁を行うことで、用紙の搬送方向（副走査方向）に沿って印刷物を分割することができる。後処理装置６００は画像形成装置１と電気的に接続されており、画像の面付け情報に従って決定される断裁位置において、ロール紙の断裁を行うことができる。なお、後処理装置６００に操作パネル等を設けて、後処理装置６００において断裁位置を設定するものであってもよい。
後処理装置６００は画像形成装置１と電気的にオフラインとなっていてもよい。その場合は、手動で断裁位置を決定することができる。
【００３５】
なお、画像形成装置１を構成する装置の数や種類は特に限定されず、画像形成装置１において、後処理装置や断裁装置等の他の装置を有していてもよい。また装置本体１０のみで画像形成装置を構成するものであってもよく、装置本体からなる画像形成装置と、その他の各部によって画像形成システムを構成するものであってもよい。
また、本実施形態の画像形成システムは、画像形成装置１外にロール紙の断裁を行う後処理装置を備えているが、装置本体１０と排紙部５００との間に、ロール紙の断裁を行う断裁部を設けてもよい。
【００３６】
次に、画像形成装置１の制御ブロックを図２に基づいて説明する。
画像形成装置１は、制御部１００を備えている。
制御部１００は、ＣＰＵ、および、ＲＯＭやＲＡＭ、不揮発メモリー等の記憶部により構成されている。ＲＯＭまたは不揮発メモリーには画像形成装置１を制御するためのプログラムやパラメーターが格納されており、制御部１００は、ＣＰＵにおいてＲＯＭや不揮発メモリーに格納されているプログラムを読み出し、画像形成装置１の各部の動作を制御することができる。
制御部１００は、画像形成装置１の全体を制御し、かつ、状態把握を行うものであり、ジョブの管理、画像形成制御、連続紙搬送制御、用紙読み取り制御、後処理制御、読取画像に基づく画像検査などを行う。
【００３７】
また、制御部１００内の不揮発メモリーには、装置本体１０の初期設定情報や、プロセス制御パラメーター等の機械設定情報、ジョブの面付け設定に基づいて読取画像の分割位置を決定するプログラムやパラメーターなどが格納されている。なお、これらのプログラムやパラメーターは、持ち運び可能なリムーバブルの記憶媒体に格納されていてもよい。
制御部１００は、不揮発メモリーに格納されているプログラムやパラメーターを読み出すことにより、ジョブの面付け設定に基づいて読取画像の分割位置を決定することができる。
【００３８】
制御部１００は、画像読取部２４で読み取った読取画像を分割して、読み取りにおけるエビデンス画像を生成することができる。エビデンス画像の生成動作については後述する。
また、制御部１００は、画像読取部２４で読み取った読取画像データと、予め用意した基準画像データとの比較によって画像検査を行うことができる。画像検査部１１１における画像検査方法は本発明としては特に限定されず、読取画像データと基準画像データとの間の差分の大きさに基づいて異常判定を行うものであってもよく、読取画像の特徴量の算出を行って異常を判定するものであってもよい。
【００３９】
制御部１００には、記憶部１０１が接続されている。記憶部１０１は、情報を不揮発に記憶可能なＨＤＤ等によって構成することができ、記憶部１０１には、画像読取部２４で読み取った画像データや、画像検査用の基準画像データ、ジョブの印刷画像データ、ジョブの印刷設定情報、面付け設定情報、エビデンス画像等を記憶することができる。
【００４０】
制御部１００には、画像形成部１１０が制御可能に接続されている。画像形成部１１０では、電子写真プロセスにより画像形成を行い、連続紙に画像を転写する。
制御部１００には、連続紙搬送部１２０が制御可能に接続されている。連続紙搬送部１２０は、搬送路２２や、搬送ローラー２３、回転駆動されるローラーを駆動する図示しないモータなどによって構成され、連続紙であるロール紙の搬送を行うことができる。
【００４１】
また、制御部１００には、操作表示部１４０が制御可能に接続されている。操作表示部１４０は、タッチパネル式のＬＣＤを備えており、操作入力と情報の表示を行うことができる。すなわち、操作表示部１４０では、画像形成装置１における設定や動作指令などの動作制御条件の入力が可能となっている。例えば、操作表示部１４０では、ロール紙に対するジョブの画像の面付け設定や、画像検査の実行有無の設定、読取画像の分割位置の設定などが可能である。
操作表示部１４０では、所望の情報を表示することが可能であり、例えば、読取画像やエビデンス画像を表示することができる。操作表示部１４０は、本発明の操作部と表示部とを兼ねている。
【００４２】
また、制御部１００には、画像読取部２４が制御可能に接続されている。画像読取部２４では用紙上の画像の読み取りを行うことができ、読み取りによって取得した読取画像は制御部１００に送信され、記憶部１０１に格納され、画像形成に用いることができる。
【００４３】
また、制御部１００には、通信部１６０が接続されている。通信部１６０は、ネットワークを介して他の装置との間で通信を行うことができるものであり、ネットワーク上の外部装置からジョブデータや画像データ等を受信し、また、画像データや画像検査結果等を外部へ送信することができる。例えば、ネットワークに接続された他の装置に印刷ジョブや検査基準設定情報の転送を行うことができ、この際には画像検査結果やエビデンス画像を転送することもできる。
【００４４】
なお、この実施形態では、制御部１００が装置本体１０の筐体内に設置されているものとして説明したが、装置本体１０の筺体外に制御部１００を備えるものであってもよい。
【００４５】
次に、上記画像形成装置１の基本的動作について説明する。
制御部１００では、印刷の実行に際し、画像形成部１１０を制御する。画像形成部１１０では、画像データに基づいて各感光体にトナー像を書き込み、各感光体に書き込まれたトナー像を中間転写ベルト１１０Ｂに転写した後、給紙部２００によって供給されるロール紙にトナー像を二次転写し、定着部１１０Ｄで画像を定着する。画像データは、自動原稿給送部（ＡＤＦ）１３５を通して取得してもよく、通信部１６０を通して外部から取得してもよい。
【００４６】
画像形成がなされたロール紙は、画像読取部２４によって読み取られ、読取画像に基づいて画像検査が行われる。その後、ロール紙は搬送路２２に沿って排紙部５００へ搬送されて、排紙部５００でロールに巻き取られる。巻き取り後のロール紙は、必要に応じて排紙部５００から後処理装置６００へ移動させ、後処理装置６００においてロール紙の断裁を行うことができる。
【００４７】
次に、画像形成装置１における読取画像の分割動作について説明する。
ロール紙に複数ジョブを面付けして印刷する場合を図３に示す。
図３の上段に示すように、画像が印刷されたロール紙（Ｒ１）は、画像印刷後に巻き取られてロール状となる（Ｒ２）。その後、所定の断裁位置において、用紙の副走査方向に沿って断裁が行われて（Ｒ３）、印刷物が分割され、複数の納品物が作成される。
例えば、図３の中段に示すように、用紙の主走査方向において別々の画像Ａ、Ｂ、Ｃが面付けされている場合は、ロール紙への印刷後に、画像Ａ、Ｂ、Ｃの境界位置において、副走査方向に沿って断裁が行われる。その結果、図３下段に示すように、別々の納品物Ａ、Ｂ、Ｃが得られる。
しかし、画像検査を行うための画像の読み取りは断裁前の状態で行われるため、読取画像をそのままエビデンス画像として保存すると、最終納品物とは異なる形状のエビデンス画像が保存されてしまう。
【００４８】
そこで、本実施形態では、ロール紙に複数種類のジョブを面付けして印刷する場合に、面付け設定に基づいて読取画像の分割位置を判別し、印刷物の検査結果のエビデンス画像を分割して保存・表示することを可能とする。
【００４９】
以下に、図４のフローチャート、および、図５〜図１２の画面例に基づいて、操作表示部１４０の操作パネルで設定された面付け情報に基づいて境界位置を決定し、設定された境界において読取画像を分割する動作について説明する。
以下の各手順は制御部１００の制御によって実行されるものであり、例として、１ページの画像を繰り返し印刷するジョブを主走査方向に並列する場合について説明する。
【００５０】
まず、操作表示部１４０の操作パネル上で、複数種類の印刷画像の面付けを行う（ステップｓ１）。
【００５１】
印刷画像の面付け設定を行う設定画面を図５〜図８に示す。
面付けを行う際には、まず、図５の配置画像選択画面１４００において、配置する画像を選択する。
図５の配置画像選択画面１４００の上部には、画像の表示順を名前順に変更する名前順ボタン１４０１と、画像の表示順を登録日時の順に変更する登録順ボタン１４０２とが設けられている。また、登録順ボタン１４０２の右側には、画像検索を行う検索ボタン１４０３と、設定を確定するＯＫボタン１４０４が設けられている。
配置画像選択画面１４００には、配置可能な画像の一覧が表示されており、名称欄１４０５において画像名が表示され、登録日時欄１４０６において登録日時が表示され、サイズ欄１４０７において画像サイズが表示されている。また、名前順ボタン１４０１、登録順ボタン１４０２を押下することにより画像の表示順を変更可能となっている。検索ボタン１４０３が押下されると検索用のウィンドウが開き、画像の検索が可能となる。
画像の面付けを行う際には、配置画像選択画面１４００において配置する画像を選択し、ＯＫボタン１４０４を押下することにより、図６〜図８に示す画像配置画面へ遷移する。
【００５２】
選択した画像の配置を行う画像配置画面を図６〜図８に示す。ここでは、図５の配置画像選択画面１４００で選択された画像を配置することが可能であり、例として、画像Ａ、画像Ｂ、および画像Ｃの配置を行う場合を説明する。
まず、図６の画像配置画面１４１０において、画像Ａの配置を行う。
画像配置画面１４１０では、中央に配置画像表示欄１４１１が表示されており、配置画像表示欄１４１１内に表示されている画像を選択してドラッグすることにより、所望の位置に画像を配置することができる。
【００５３】
また、画像配置画面１４１０の下方には、ＯＫボタン１４１２とキャンセルボタン１４１３が設けられており、ＯＫボタン１４１２が押下されると、配置画像表示欄１４１１における画像の配置が確定され、キャンセルボタン１４１３が押下されると、設定がキャンセルされる。
図６の例では、画像Ａの配置を行った後にＯＫボタン１４２２が押下されると、図７の画像配置画面１４２０に遷移し、画像Ｂの配置を行う。
【００５４】
図７の画像配置画面１４２０では、画像Ｂの配置を行う。
図６と同様に、画像配置画面１４２０の中央付近には配置画像表示欄１４２１が表示されており、配置画像表示欄１４２１内に表示された画像をドラッグすることにより、画像の面付けが可能となっている。
配置画像表示欄１４２１の下方には、ＯＫボタン１４２２およびキャンセルボタン１４２３が設けられている。ＯＫボタン１４２２が押下されると画像の配置が確定され、キャンセルボタン１４２３が押下されると、画像の配置がキャンセルされる。図７の画像配置画面１４２０では、ＯＫボタン１４２２が押下されると図８の画像配置画面１４３０に遷移し、画像Ｃの配置が行われる。
【００５５】
図８の画像配置画面１４３０では、画像Ｃの配置を行う。
画像配置画面１４３０では、中央付近に配置画像表示欄１４３１が表示されており、配置画像表示欄１４３１内に表示された画像をドラッグすることにより、画像の面付けが可能となっている。
【００５６】
配置画像表示欄１４３１の下方には、ＯＫボタン１４３２およびキャンセルボタン１４３３が設けられている。ＯＫボタン１４３２が押下されると画像の配置が確定され、キャンセルボタン１４３３が押下されると、画像の配置がキャンセルされる。
上記の設定画面により、操作パネルを通じて複数種類のジョブの印刷画像の面付けを行うことができる。設定された面付けの情報は、ジョブの情報とともに保存される。
【００５７】
図４のフローチャートの説明に戻る。
ステップｓ１において印刷画像の面付けを行った後、画像形成装置は、面付け情報からエビデンス画像となる分割位置を判別して保存する（ステップｓ２）。
画像の分割位置は、ジョブの面付け情報に基づいて判別することができ、例えば、配置された画像の境界位置を分割位置とすることができる。
画像の分割位置の判別方法を図９に示す。ここでは、例として、図８に示すように、主走査方向に複数の画像が配置されて面付けが行われた場合の画像の分割位置を示している。
図５の配置画像選択画面１４００に示されていた通り、画像Ａのサイズは２０×２０ｍｍ、画像Ｂのサイズは１０×２０ｍｍ、画像Ｃのサイズは４０ｍｍ×２０ｍｍである。そのため、画像の境界は、用紙の端部から２０ｍｍの位置（分割位置１）と、用紙の端部から３０ｍｍの位置（分割位置２）であると判別され、画像の境界位置を分割位置とする。判別された分割位置は、ジョブの情報と関連付けて保存される。なお、この分割位置は、印刷物の出力後にロール紙の断裁が行われる位置である。
【００５８】
ステップｓ２において画像の分割位置を保存したら、面付けの設定に従って印刷実行し（ステップｓ３）、その後、印刷された画像を画像読取部で読み取る（ステップｓ４）。読み取った画像は、適宜、画像検査に用いることができる。
その後、読み取った画像に対し、保存されている分割位置情報を元に画像を分割する（ステップｓ５）。
【００５９】
ステップｓ５における画像分割動作を図１０に示す。
図１０では、エビデンス画像として、１ページ目、２ページ目、および３ページ目の読取画像が取得された場合を示している。
読取画像のそれぞれを図９で決定した分割位置において分割すると、図１０の下方に示すように、１〜３ページのそれぞれのページについて、画像Ａのみが含まれたエビデンス画像Ａと、画像Ｂのみが含まれたエビデンス画像Ｂと、画像Ｃのみが含まれたエビデンス画像Ｃとが作成される。
【００６０】
ステップｓ５で読取画像を分割した後は、分割されたエビデンス画像を記憶部１０１に保存する（ステップｓ６）。
なお、エビデンス画像は、保存する際に識別子を付与してもよい。例えば、同じジョブから作成されたエビデンス画像のそれぞれに対して異なる名称を付与してもよい。
例えば、各エビデンス画像のジョブ名を「画像ＡＢＣ」とし、分割によって得られたエビデンス画像のうち、画像Ａを含むエビデンス画像の名称を「画像Ａ」、Ｂを含むエビデンス画像の名称を「画像Ｂ」、画像Ｃを含むエビデンス画像の名称を「画像Ｃ」とすることができる。
なお、エビデンス画像の保存を行う際に、画像検査において異常があると判定された前記画像を含むエビデンス画像と、異常なしと判定された前記画像を含むエビデンス画像とを区別可能に保存してもよい。例えば、異常があるエビデンス画像と異常のないエビデンス画像とに異なる識別子を付与してもよく、それらを異なる場所に保存するようにしてもよい。
【００６１】
エビデンス画像を保存すると、操作表示部１４０の操作パネルから、表示したいエビデンス画像を指定する（ステップｓ７）。
エビデンス画像の選択画面の例を図１１に示す。
図１１のエビデンス画像選択画面１４４０では、表示可能なエビデンス画像が表示されている。各エビデンス画像は、ジョブ名欄１４４１においてジョブ名が表示され、エビデンス画像名称欄１４４２においてエビデンス画像の名称が表示され、登録日時欄１４４３においてエビデンス画像の登録日時が表示されている。
エビデンス画像選択画面１４４０では、所望のエビデンス画像が選択可能であり、図１１の例では、ジョブ名が「画像ＡＢＣ」、名称が「画像Ａ」であるエビデンス画像が選択されている。
【００６２】
ステップｓ７においてエビデンス画像が指定されると、指定された分割されたエビデンス画像が操作表示部１４０に表示される（ステップｓ８）。
エビデンス画像の表示画面の例を図１２に示す。
図１２のエビデンス画像表示画面１４５０では、画像Ａのエビデンス画像１４５１が表示されており、ユーザーがエビデンス画像を確認することができる。
また、エビデンス画像１４５１の下方には、前ページボタン１４５２、次ページボタン１４５３、および戻るボタン１４５４が設けられている。前ページボタン１４５２が押下されると、前ページのエビデンス画像が表示され、次ページボタン１４５３が押下されると、次ページのエビデンス画像が表示される。戻るボタン１４５４が押下されると、エビデンス画像の選択画面に戻る。
【００６３】
上記手順によれば、操作表示部１４０の操作パネルで指定された面付け情報に基づいて読取画像の分割を行い、分割後の画像をエビデンス画像として保存および表示することが可能となる。
【００６４】
ジョブの面付けの設定は、プリンタドライバーなどのアプリケーションにおいて行われる場合がある。
以下の説明では、外部のアプリケーションにおいて画像の面付け設定および分割位置の判別を行い、設定された分割位置に基づいて画像形成装置において読取画像の分割を行い、エビデンス画像として保存および表示する場合について説明する。
【００６５】
外部アプリケーションでの面付け設定に基づいて読取画像の分割を行う手順を図１３のフローチャートに基づいて説明する。なお、以下の各手順は制御部１００の制御によって実行される。
【００６６】
まず、アプリケーションで複数種類の印刷画像の面付けを行う（ステップｓ１０）。面付けが行われたら、アプリケーションは、面付け情報からエビデンス画像となる分割位置を判別し保存する（ステップｓ１１）。分割位置は、前記の例と同様に、面付けにおける画像の境界位置に基づいて決定することができる。例えば、複数のジョブが副走査方向に沿って並列して配置されている場合には、各ジョブの境界位置を分割位置として、副走査方向に沿って読取画像を分割するように分割位置を決定する。
分割位置を保存したら、アプリケーションは、印刷データ（プリント用のジョブデータ）とともに、分割位置情報を画像形成装置へ送信する（ステップｓ１２）。
その後、画像形成装置は、受信した印刷データを基に印刷を実行し（ステップｓ１３）、画像の印刷後には、印字された画像を画像読取部で読み取る（ステップｓ１４）。読み取った画像は、適宜、画像検査に用いることができる。
そして、読み取った画像に対し、アプリケーションから受信した分割位置情報を基に画像を分割し（ステップｓ１５）、分割した画像を保存する（ステップｓ１６）。保存された画像はエビデンス画像となる。
その後、操作表示部１４０の操作部パネルから表示したいエビデンス画像を指定し（ステップｓ１７）、指定された分割されたエビデンス画像を表示する（ステップｓ１８）。
【００６７】
上記手順によれば、アプリケーションにおいて面付けの設定を行う場合でも、読取画像の分割を行ってエビデンス画像として表示・保存することが可能となる。
【００６８】
なお、図１３のフローでは、アプリケーション側において読取画像の分割位置を決定していたが、アプリケーションにおいて分割位置を判別せずに面付けの設定のみを行い、画像形成装置１側において、面付けの設定情報から読取画像の分割位置を決定するようにしてもよい。
【００６９】
上記説明では、読取画像の分割位置を面付け情報に基づいて自動で決定していたが、ユーザーが読取画像の分割位置を指定するようにしてもよい。
ユーザーが読取画像の分割位置を指定する場合の動作手順を、図１４のフローチャート、および、図１５〜図２０に示す分割位置指定画面に基づいて説明する。以下の動作は制御部１００の制御によって実施される。
【００７０】
まず、操作表示部１４０の操作パネル上で複数種類の印刷画像の面付けを行い（ステップｓ２０）、印刷を実行する（ステップｓ２１）。
印字された画像を画像読取部で読み取り、記憶部１０１に保存する（ステップｓ２２）。読み取った画像は、適宜、画像検査に用いることができる。
操作表示部１４０の操作パネルに読み取った画像を表示させる（ステップｓ２３）。そして、操作パネル上で分割位置の指定を行い（ステップｓ２４）、指定された分割位置に従い画像を分割し保存する（ステップｓ２５）。このとき、任意に分割画像に名前を付けられるようにしてもよい。
【００７１】
分割位置の指定を行うための分割位置指定画面の例を図１５〜図２０に示す。なお、この例では、印刷画像の面付けは図９の例と同様であるとする。
まず、図１５に示す分割位置指定画面１４６０において、画像Ａの分割を行うための分割位置を指定する。
図１５に示す分割位置指定画面１４６０では、中央にプレビュー画像１４６１が表示されており、プレビュー画像１４６１上に、分割位置Ｌが示されている。
分割位置Ｌはドラッグ等により移動可能となっており、所望の位置に移動させることができる。図１５では、画像Ａの領域を分割するように、画像Ａと画像Ｂとの間に分割位置Ｌを位置させている。
分割位置指定画面１４６０の下方には、ＯＫボタン１４６２とキャンセルボタン１４６３が表示されており、ＯＫボタン１４６２を押下すると、分割位置の確認画面（図１６）に遷移する。また、キャンセルボタン１４６３を押下すると設定がキャンセルされる。
【００７２】
図１５の分割位置指定画面１４６０において分割位置を設定した後は、図１６に示す確認画面において分割後のエビデンス画像を確認し、分割位置を保存する。
図１６の確認画面１４７０では、中央に分割後の画像を示すプレビュー画像１４７１が表示されている。プレビュー画像１４７１には、図１５の分割位置指定画面１４６０において指定した分割位置において分割が行われた場合の読取画像が示されており、ここでは、画像Ａのみを含む読取画像が示されている。
また、プレビュー画像１４７１の下方には、名前を付けて保存ボタン１４７２とキャンセルボタン１４７３が表示されており、名前を付けて保存ボタン１４７２を押下すると、分割位置が保存され、次の分割位置の指定画面（図１７）に遷移する。キャンセルボタン１４７３を押下すると設定がキャンセルされ、分割位置の設定画面に戻る。
【００７３】
次に、図１７に示す分割位置指定画面１４８０において、画像Ｂの分割を行うための分割位置を指定する。
図１７の分割位置指定画面１４８０では、中央にプレビュー画像１４８１が表示されており、プレビュー画像１４８１上に、分割位置Ｌが示されている。
分割位置Ｌはドラッグ等により移動可能となっており、所望の位置に移動させることができる。図１７では、画像Ｂの領域を分割するように、画像Ｂと画像Ｃとの間に分割位置Ｌを位置させている。
分割位置指定画面１４８０の下方には、ＯＫボタン１４８２とキャンセルボタン１４８３が表示されており、ＯＫボタン１４８２を押下すると、分割位置の確認画面（図１８）に遷移する。また、キャンセルボタン１４８３を押下すると設定がキャンセルされる。
【００７４】
図１７の分割位置指定画面１４８０において分割位置を設定した後は、図１８に示す確認画面において分割後のエビデンス画像を確認し、分割位置を保存する。
図１８の確認画面１４９０では、中央に分割後の画像を示すプレビュー画像１４９１が表示されている。プレビュー画像１４９１は、図１７の分割位置指定画面１４８０において指定した分割位置において分割が行われた場合の読取画像が示されており、画像Ｂのみを含む読取画像が示されている。
また、プレビュー画像１４９１の下方には、名前を付けて保存ボタン１４９２とキャンセルボタン１４９３が表示されており、名前を付けて保存ボタン１４９２を押下すると、分割位置が保存され、次の分割位置の指定画面（図１９）に遷移する。キャンセルボタン１４９３を押下すると設定がキャンセルされ、分割位置の設定画面に戻る。
【００７５】
図１９の分割位置指定画面１５００では、中央にプレビュー画像１５０１が表示されており、プレビュー画像１５０１上に、分割位置Ｌが示されている。
分割位置Ｌはドラッグ等により移動可能となっており、所望の位置に移動させることができる。図１９では、画像Ａおよび画像Ｂが既に分割されているため、分割位置Ｌは画像Ｃの左側に位置している。
分割位置指定画面１５００の下方には、ＯＫボタン１５０２とキャンセルボタン１５０３が表示されており、ＯＫボタン１５０２を押下すると、分割位置の確認画面（図２０）に遷移する。また、キャンセルボタン１５０３を押下すると設定がキャンセルされる。
【００７６】
図１９の分割位置指定画面１５００において分割位置を設定した後は、図２０に示す確認画面において分割後のエビデンス画像を確認し、分割位置を保存する。
図２０の確認画面１５１０では、中央に分割後の画像を示すプレビュー画像１５１１が表示されている。プレビュー画像１５１１は、図１９の分割位置指定画面１５００において指定した分割位置において分割が行われた場合の読取画像であるが、分割位置Ｌの左側には画像が存在していないため、画像の分割は行われず、図１９のプレビュー画像１５０１がそのまま表示されている。
プレビュー画像１５１１の下方には、名前を付けて保存ボタン１５１２とキャンセルボタン１５１３が表示されており、名前を付けて保存ボタン１５１２を押下すると、分割位置が最終決定され、画像の分割および保存が行われる。キャンセルボタン１５１３を押下すると設定がキャンセルされ、分割位置の設定画面に戻る。
【００７７】
上記手順によれば、読取画像の分割位置をユーザーが指定することが可能となる。
なお、上記実施形態３では、ユーザーが読取画像の分割位置を指定する場合について説明したが、ユーザーが分割位置を設定するか、ジョブの面付け情報に基づいて制御部１００が自動で分割位置を判別するかどうかを選択可能としてもよい。例えば、ジョブの出力設定を行う際に、読取画像の分割位置の選択を自動で行うか手動で行うかを設定可能としてもよい。
【００７８】
また、上記各説明では、複数のジョブを副走査方向に沿って並列して面付けする場合について説明したが、本発明は、一つのジョブに含まれる画像を面付けする場合においても適用可能であり、例えば、一つのジョブにおける複数の画像を主走査方向に配置する場合にも適用可能である。
また、本発明は、画像の配置に拘わらず、複数の画像を記録媒体に配置する場合に適用可能である。例えば、複数の画像を副走査方向に配置する場合であっても、本実施形態の方法により分割位置の判別または分割位置の指定を行い、分割位置において読取画像の分割を行うことにより、出力物の形式にあったエビデンス画像とすることができる。
【００７９】
なお、上記説明では、画像処理装置は、画像形成装置であるものとして説明したが、ケーブルやネットワークで接続された管理装置や端末などに前記した制御部を備えて、画像処理装置として機能するものであってもよい。その際に、エビデンス画像の保存や表示は、この画像処理装置で行うものとしてもよいが、画像形成装置や、表示装置、記憶装置などにおいて保存や表示がされるように上記制御部で制御するものであってもよい。
【００８０】
以上、本発明について上記実施形態に基づいて説明を行ったが、本発明は、上記説明の内容に限定されるものではなく、本発明の範囲を逸脱しない限りは、上記実施形態に対する適宜の変更が可能である。
【符号の説明】
【００８１】
１  画像形成装置
１０  装置本体
２２  搬送路
２４  画像読取部
１００  制御部
１０１  記憶部
１１０  画像形成部
１４０  操作表示部
２００  給紙部
５００  排紙部
６００  後処理装置
１４００  配置画像選択画面
１４１０  画像配置画面
１４２０  画像配置画面
１４３０  画像配置画面
１４４０  エビデンス画像選択画面
１４５０  エビデンス画像表示画面
１４６０  分割位置指定画面
１４７０  確認画面
１４８０  分割位置指定画面
１４９０  確認画面
１５００  分割位置指定画面
１５１０  確認画面
【図１】
2019195122.tif 000003
【図２】
2019195122.tif 000004
【図３】
2019195122.tif 000005
【図４】
2019195122.tif 000006
【図５】
2019195122.tif 000007
【図６】
2019195122.tif 000008
【図７】
2019195122.tif 000009
【図８】
2019195122.tif 000010
【図９】
2019195122.tif 000011
【図１０】
2019195122.tif 000012
【図１１】
2019195122.tif 000013
【図１２】
2019195122.tif 000014
【図１３】
2019195122.tif 000015
【図１４】
2019195122.tif 000016
【図１５】
2019195122.tif 000017
【図１６】
2019195122.tif 000018
【図１７】
2019195122.tif 000019
【図１８】
2019195122.tif 000020
【図１９】
2019195122.tif 000021
【図２０】
2019195122.tif 000022